(57)【要約】【課題】  取付具のアームのベースプレートへの固定を強化し、建築構造物及び組立建物の強度を向上すること。【解決手段】  一方の部材１と、他方の部材２と、取付具３とを備え、取付具３は、一方の部材に当接する裏側ベースプレート４ｂと、裏側ベースプレートに重合する表側ベースプレート４ａと、他方の部材の端部に固定するアーム５と、固着具９とを有し、アーム５は、一方の部材側端部を曲げた鍔部６ａ，６ｂと他方の部材固定部２３とを有するものであり且つ鍔部が一方の部材に当接するものであり、裏側ベースプレート４ｂは、鍔部と略同一厚みのもので且つ鍔部が挿通自在な貫通孔７を有し、表側ベースプレート４ａは、アームの他方の部材固定部２３を挿通自在な貫通孔８を有し且つ鍔部６ａ，６ｂを係止し、固着具９は両ベースプレート４ａ，４ｂを一方の部材に固定するものであることを特徴とする。【選択図】      図１
2005232839.tif 000002
【特許請求の範囲】
【請求項１】
一方の部材と、他方の部材と、取付具とを備え、取付具は、一方の部材に当接する裏側ベースプレートと、裏側ベースプレートに重合する表側ベースプレートと、他方の部材の端部に固定するアームと、固着具とを有し、アームは、一方の部材側端部を曲げた鍔部と他方の部材固定部とを有するものであり且つ鍔部が一方の部材に当接するものであり、裏側ベースプレートは、鍔部と略同一厚みのもので且つ鍔部が挿通自在な貫通孔を有し、表側ベースプレートは、アームの他方の部材固定部を挿通自在な貫通孔を有し且つ鍔部を係止し、固着具は両ベースプレートを一方の部材に固定するものであることを特徴とする建築構造物。
【請求項２】
柱と、屋根と、支持腕と、取付具とを備え、屋根は、柱側端部を柱に固定するものであり、支持腕は、屋根の上方に位置し且つ先端部を屋根に固定するものであり、取付具は、柱に当接する裏側ベースプレートと、裏側ベースプレートに重合する表側ベースプレートと、支持腕の柱側端部を固定するアームと、固着具とを有し、アームは、柱側端部を上方に曲げた上鍔部と、柱側端部を下方に曲げた下鍔部と、支持腕固定部とを有するもので且つ両鍔部が柱に当接するものであり、裏側ベースプレートは、両鍔部と略同一厚みのものであり且つ両鍔部が挿通自在な貫通孔を有するものであり、表側ベースプレートは、アームの支持腕固定部を挿通自在な貫通孔を有し且つ両鍔部を係止するものであり、固着具は両ベースプレートを柱に固定するものであることを特徴とする組立建物。
【発明の詳細な説明】
【技術分野】
【０００１】
本発明は、一方の部材と、他方の部材と、他方の部材を一方の部材に取付ける取付具とを備えた建築構造物、及びこれと同様の取付具を備えた組立建物に関する。
【背景技術】
【０００２】
建築構造物は、金属等よりなる長尺の部材を連結して骨組が形成され、各部材連結部の強度は建築構造物の強度に大きく影響する。部材同士の連結の仕方としては、溶接、ボルト・ナットを用いるものなど種々あるが、組立てが簡易に行えるものとして、図７に示すような取付具を用いるものがある。この取付具９０は、ベースプレート９１にアーム９２を溶接により固定してあり、ベースプレート９１は柱等の建築構造物の一方の部材９３に当接してボルト９４で固定し、アーム９２に他方の部材９５の端部を嵌め込んでボルト９６で固定して二部材を連結する。このような取付具は、例えば特許文献１に記載されているような、屋根を支持腕で上から吊るような形で柱に片持ち支持したカーポートの、支持腕の柱への取付け部分などに使用されている。
【特許文献１】特開平６−２９９６０７号公報（第２８図）
【発明の開示】
【発明が解決しようとする課題】
【０００３】
上記取付具のアーム９２には、上下方向の垂直荷重や曲げモーメント、水平方向の引張・圧縮力などが作用し、従来のものではアームの根元部分をベースプレートに溶接して固定してあるだけだったので、溶接部分のみでこれらの力に持ち堪えなければならず、強度を向上しようにも限界があった。本発明はこうした実情に鑑み、取付具のアームのベースプレートへの固定を強化し、建築構造物及び組立建物の強度を向上することを目的とする。
【課題を解決するための手段】
【０００４】
上記の課題を達成するために請求項１記載の発明による建築構造物は、一方の部材と、他方の部材と、取付具とを備え、取付具は、一方の部材に当接する裏側ベースプレートと、裏側ベースプレートに重合する表側ベースプレートと、他方の部材の端部に固定するアームと、固着具とを有し、アームは、一方の部材側端部を曲げた鍔部と他方の部材固定部とを有するものであり且つ鍔部が一方の部材に当接するものであり、裏側ベースプレートは、鍔部と略同一厚みのもので且つ鍔部が挿通自在な貫通孔を有し、表側ベースプレートは、アームの他方の部材固定部を挿通自在な貫通孔を有し且つ鍔部を係止し、固着具は両ベースプレートを一方の部材に固定するものであることを特徴とする。
【０００５】
また請求項２記載の発明による組立建物は、柱と、屋根と、支持腕と、取付具とを備え、屋根は、柱側端部を柱に固定するものであり、支持腕は、屋根の上方に位置し且つ先端部を屋根に固定するものであり、取付具は、柱に当接する裏側ベースプレートと、裏側ベースプレートに重合する表側ベースプレートと、支持腕の柱側端部を固定するアームと、固着具とを有し、アームは、柱側端部を上方に曲げた上鍔部と、柱側端部を下方に曲げた下鍔部と、支持腕固定部とを有するもので且つ両鍔部が柱に当接するものであり、裏側ベースプレートは、両鍔部と略同一厚みのものであり且つ両鍔部が挿通自在な貫通孔を有するものであり、表側ベースプレートは、アームの支持腕固定部を挿通自在な貫通孔を有し且つ両鍔部を係止するものであり、固着具は両ベースプレートを柱に固定するものであることを特徴とする。
【発明の効果】
【０００６】
請求項１記載の発明による建築構造物は、取付具のアームの鍔部が、表側ベースプレートに係止し且つ表側ベースプレートと一方の部材の間に挟み込んで保持されているので、単に溶接しただけの場合と比べてアームの根元部分のベースプレートへの取付けが強化される。これにより他方の部材に大きな垂直荷重、曲げモーメント等が作用しても取付具のベースプレートへの付け根部分が破壊されることを防止でき、建築構造物の強度が向上する。
【０００７】
請求項２記載の発明による組立建物は、屋根が支持腕により上方より支持され、しかも支持腕の端部を柱に取付けている取付具が、アームの柱側端部に形成した上鍔部と下鍔部を表側ベースプレートに係止し、且つ上鍔部と下鍔部を表側ベースプレートと柱の間に挟み込んで保持したもので、アームの根元部分のベースプレートへの取付けが強化されていることから、屋根の自重や屋根に積もる雪の重み、地震による振動、風圧等に対して強いものとなる。
【発明を実施するための最良の形態】
【０００８】
以下、本発明の実施の形態を図面に基づいて説明する。図５は本発明の組立建物（カーポート）の一実施形態を示す縦断面図であり、図６は同組立建物の平面図である。この組立建物は、２本の柱１に長方形の屋根１０を片持ち支持したもので、屋根１０は柱１側が低くなっており、柱１側の端部がブラケット１１により柱１に固定してあり、屋根１０の上方には４本の支持腕２が配置してあり、各支持腕２は一端側が取付具３を介して柱１の上端部に固定され、他端側が屋根の先端部の上面にボルト１２で固定してある。支持腕２は、図６に示すように、各柱１の上端部に取付けた取付具３より２本ずつハの字型に水平に延びている。柱１と支持腕２はアルミニウム合金の押出形材よりなり、また屋根１０はアルミニウム合金の押出形材を組立てて構成した骨組１３の上面に樹脂パネル１４を取付けて構成されている。
【０００９】
取付具３は、図２に示すように、柱に当接して固定されるベースプレート４と、支持腕２の端部を嵌め込んで固定するための２本のアーム５とを有している。ベースプレート４は、表側ベースプレート４ａと裏側ベースプレート４ｂの２枚の金属板を重合したものとなっている。本取付具３の構成を図４に即して詳しく説明する。アーム５は、断面コ字形の金属性の部材からなり、長手方向の中央部より先端側が支持腕固定部２３となっており、上壁と下壁のベースプレート側の端部を上方と下方にそれぞれ直角に折り曲げて、上鍔部６ａと下鍔部６ｂを形成してある。表側ベースプレート４ａには、支持腕固定部２３を挿通するためのコ字形の貫通孔８を形成してある。裏側ベースプレート４ｂには、アームの上鍔部６ａと下鍔部６ｂを挿通自在な長方形の貫通孔７を形成してある。裏側ベースプレート４ｂの厚みは、アームの上鍔部６ａと下鍔部６ｂの厚みと略同一となっている。取付具３の組立は、アーム５の支持腕固定部２３を表側ベースプレート４ａの貫通孔８に裏面側から挿入し、上鍔部６ａと下鍔部６ｂを表側ベースプレート４ａの裏面側に係止させ、裏側ベースプレート４ｂを表側ベースプレート４ａに重合させると、裏側ベースプレート４ｂの貫通孔７にアーム５の上鍔部６ａと下鍔部６ｂが収まり、上鍔部６ａと下鍔部６ｂ及び裏側ベースプレート４ｂの裏面が同一面となって柱１に当接自在となる。表側ベースプレート４ａと裏側ベースプレート４ｂとは、ノックピン１５を挿通して位置決めし、スポット溶接により一体化してある。さらに、表側ベースプレート４ａの表面側において、アーム５の周囲を表側ベースプレート４ａに溶接してある。図中１６はベースプレート４を柱１に固定するボルト９の挿通孔であり、図中１７は支持腕２をアーム５に固定するボルト１８の挿通孔である。
【００１０】
取付具３は以上のように構成され、表側ベースプレート４ａと裏側ベースプレート４ｂは重合した状態で柱１に当接してボルト９で固定され、アーム５の上鍔部６ａと下鍔部６ｂが柱１と表側ベースプレート４ａの間に挟み込まれる。ベースプレート４の柱１への固定は、柱１に雌ネジ孔を開けてボルト９で直接固定しても良いが、図１に示すように、柱の内部にボルト１９で取付けた裏板２０を介して柱１にボルト９で固定しても良い。支持腕２は、アーム５の支持腕固定部２３の外周に嵌め込み、ボルト１８、ナット２１により固定される。屋根１０の重みにより支持腕２に荷重が掛かり、アーム５に下向きの曲げモーメントＭが作用すると、上鍔部６ａが表側ベースプレート４ａを裏から押圧し、下鍔部６ｂが柱１を押圧することとなり、アーム５と表側ベースプレート４ａとの溶接部２２に作用するせん断力、引張力が軽減されるから、アーム５のベースプレート４への付け根部分の破壊を防止できる。したがって、支持腕２は柱１にぐらつくことなく強固に固定され、屋根１０を安定して柱１に片持ち支持できる。
【００１１】
本発明の組立建物は、以上に述べたカーポートに限定されるものではなく、例えば軒先等に設置するテラスや、公園、通路等に設置する雨避け用のシェルターなど、柱に屋根を支持する組立建物に広く利用できる。屋根は、柱に片持ち支持する形態に限らず、両持ちとすることもできる。
【００１２】
また、本発明に係る取付具の利用範囲は組立建物に限定されるものではなく、建築構造物全般において二部材を連結する箇所に広く利用できるものであり、本取付具を用いることで、建築構造物の構造強度を向上させ、地震や台風等に対する耐久性などを向上できる。
【図面の簡単な説明】
【００１３】
【図１】図２におけるＡ−Ａ断面図である。
【図２】本発明に係る組立建物の取付具の部分を拡大して示す平面図である。
【図３】本発明に係る組立建物の取付具の部分を拡大して示す正面図である。
【図４】取付具の構成を示す分解斜視図である。
【図５】本発明に係る組立建物の一実施形態を示す縦断面図である。
【図６】本発明に係る組立建物の一実施形態を示す平面図である。
【図７】従来の取付具を示す側面図である。
【符号の説明】
【００１４】
１  柱（一方の部材）
２  支持腕（他方の部材）
３  取付具
４ａ  表側ベースプレート
４ｂ  裏側ベースプレート
５  アーム
６ａ  上鍔部
６ｂ  下鍔部
７  貫通孔（裏側ベースプレート）
８  貫通孔（表側ベースプレート）
９  ボルト（固着具）
１０  屋根
２３  支持腕固定部（他方の部材固定部）
【図１】
2005232839.tif 000003
【図２】
2005232839.tif 000004
【図３】
2005232839.tif 000005
【図４】
2005232839.tif 000006
【図５】
2005232839.tif 000007
【図６】
2005232839.tif 000008
【図７】
2005232839.tif 000009